(57)【特許請求の範囲】
【請求項１】
時計用の巻上げ竜頭であって、前記竜頭（３２）は、その竜頭（３２）に固定された剛性駆動リング（４、４００）を含み、かつ巻真がその一端に固定されるパイプ（１２）に固定された少なくとも１つの弾性変形可能な要素（２、２００）と協働する解放機構（１）を含んでおり、
前記剛性駆動リング（４、４００）は、前記弾性変形可能な要素（２、２００）によって対抗される抵抗トルクが、前記弾性変形可能な要素（２、２００）が変形してその弾性変形可能な要素と前記剛性駆動リング（４、４００）との駆動連結を外すことになるしきい値を越えるまで、前記弾性変形可能な要素（２、２００）を少なくとも１つの回転方向に駆動するようになっており、
前記弾性変形可能な要素（２、２００）は、
その弾性変形可能な要素を前記剛性駆動リング（４、４００）に一時的に結合する結合手段を有し、
その弾性変形可能な要素を前記剛性駆動リング（４、４００）内で心合わせする別体の心合わせ手段を含むことを特徴とする、竜頭。
【請求項２】
前記弾性変形可能な要素（２、２００）がほぼ円形の形状であることを特徴とする請求項１に記載の竜頭。
【請求項３】
前記剛性駆動リング（４、４００）の内周部が、それぞれ第１及び第２の直径（Ｄ１、Ｄ２）を有する途切れのない一連の隆起部（２８、２８０）と凹み部（３０、３００）を有しており、前記第１の内径（Ｄ１）が前記第２の内径（Ｄ２）よりも小さいことを特徴とする請求項２に記載の竜頭。
【請求項４】
前記心合わせ手段が、前記弾性変形可能な要素（２００）の周囲上に互いに直径方向に向き合って配置されることを特徴とする請求項３に記載の竜頭。
【請求項５】
前記心合わせ手段が、前記弾性変形可能な要素（２）の周囲上の一定間隔で離隔された３つの場所に設けられることを特徴とする請求項３に記載の竜頭。
【請求項６】
前記心合わせ手段が、それぞれが１つの心合わせ部分（２３０ａ、２４０ａ）と１つの結合部分（２３０ｂ、２４０ｂ）とを有する、２つのアーム（２３０、２４０）を含むことを特徴とする請求項４に記載の竜頭。
【請求項７】
前記心合わせ部分（２３０ａ、２４０ａ）が、前記剛性駆動リング（４００）の前記第１の内径（Ｄ１）に等しい前記弾性変形可能な要素（２００）の第１の外径（Ｄ'１）を有する円弧の形状を有しており、前記心合わせ部分（２３０ａ、２４０ａ）の長さが、前記心合わせ部分（２３０ａ、２４０ａ）が常に前記剛性駆動リング（４００）の内周部の連続した２つの隆起部（２８０）上に載る長さであり、前記結合部分（２３０ｂ、２４０ｂ）が突出部分（２３０ｃ、２４０ｃ）を有しており、前記突出部分の頂点が、前記剛性駆動リング（４００）の前記第１の内径（Ｄ１）よりも大きい、前記弾性変形可能な要素（２００）の第２の外径（Ｄ'２）を有することを特徴とする請求項６に記載の竜頭。
【請求項８】
前記弾性変形可能な要素（２００）が、その中心に穴（８００）があけられたほぼ円形の基部（６００）を含んでおり、前記穴を介して前記弾性変形可能な要素（２００）が前記パイプ（１２）の凸状部分（１０）に固定されており、前記基部（６００）が直径方向に向き合う２つの湾曲した部分（２１０、２２０）によって拡張されており、前記湾曲した部分がアーム（２３０、２４０）に続いており、前記アーム（２３０、２４０）が同一方向に円状に延びることを特徴とする請求項７に記載の竜頭。
【請求項９】
前記心合わせ手段が３つのＹ字形アーム（１４、１６、１８）の形態であり、前記結合手段が、連続した２つのアーム（１４、１６、１８）間にそれぞれ挿入された３つのΩ字形部分の形態であり、各結合部（２０）が、前記弾性変形可能な要素（２）の内側に向かって開く面を区画する頭部（２２）と２つの脚部（２４）とを含むことを特徴とする請求項５に記載の竜頭。
【請求項１０】
前記Ｙ字形アーム（１４、１６、１８）がそれぞれ、前記弾性変形可能な要素（２）の中心から径方向に延びる部分（１４ａ、１６ａ、１８ａ）を含んでおり、前記部分が、次第にさらに離れていく対称的な２つの分岐（１４ｂ、１６ｂ、１８ｂ）へと分かれており、各Ｙ字形アーム（１４、１６、１８）の前記２つの分岐（１４ｂ、１６ｂ、１８ｂ）が、前記剛性駆動リング（４）の前記第１の内径（Ｄ１）に等しい直径に対応し、前記弾性変形可能な要素（２）の第１の外半径（Ｒ'１）を有する円弧の形状の心合わせ部分（１４ｃ、１６ｃ、１８ｃ）によって互いに接合されており、この心合わせ部分（１４ｃ、１６ｃ、１８ｃ）の長さが、該心合わせ部分（１４ｃ、１６ｃ、１８ｃ）が常に前記剛性駆動リング（４）の内周部の連続した２つの隆起部（２８）上に載るような長さであり、前記結合部（２０）の頂点が、前記剛性駆動リング（４）の前記第１の内径（Ｄ１）よりも大きい、前記弾性変形可能な要素（２）の第２の外半径（Ｒ'２）を有することを特徴とする請求項９に記載の竜頭。
【請求項１１】
前記心合わせ部分（１４ｃ、１６ｃ、１８ｃ）が、それらの自由端のところで、前記心合わせアーム（１４、１６、１８）を前記結合部（２０）の前記足部（２４）に連結する連結部分（２６）まで延びていることを特徴とする請求項１０に記載の竜頭。
【請求項１２】
前記弾性変形可能な要素（２、２００）がばね要素であることを特徴とする請求項１から１１のいずれか一項に記載の竜頭。
【請求項１３】
前記結合手段がいくらか径方向圧縮作用を果たすことを特徴とする請求項１から１２のいずれか一項に記載の竜頭。
【発明の詳細な説明】
【技術分野】
【０００１】
本発明は、解放機構を含む時計竜頭に関する。より詳細には、本発明は、特にユーザが主ぜんまいを巻き上げるときに、時計のムーブメントに損傷を与えるのを防ぐ、このタイプの竜頭に関する。
【背景技術】
【０００２】
前述のタイプの竜頭は、例えば、本出願人名義の欧州特許出願第１５８６９６０号から知られている。竜頭は、本質的に、ユーザによる竜頭の取扱いを容易にするぎざぎざを外部面に有する円形スカートの最下部が境界となったキャップを含む。円形スカートは、解放機構が内側に配置される、中空の円筒状ハウジングの境界となっている。解放機構には、とりわけ、解放機能を達成するために１つ又は複数の概ね円形のばね要素と協働する複数のノッチを内周部に有する剛性リングが含まれる。ノッチ付きリングは、竜頭に固定され、一方、ばね要素は、主ぜんまいのための巻上げ機構に作用を及ぼす巻真が螺合されるパイプに固定される。ばね要素によって対抗される抵抗トルクが所定の値未満であるならば、ばね要素は、ユーザが竜頭を作動させる影響を受けて、剛性リングによって回転駆動される。次に、ばね要素は、それに取り付けられたパイプ、したがって巻真を駆動する。ばね要素によって対抗される抵抗トルクが所定の値よりも大きくなると、主ぜんまいが完全に巻き上げられたので、ばね要素は剛性リングの作動に応答して弾性変形し、剛性リングから摺動によって逃る。この結果、ユーザによって作動された竜頭は、トルクを伝達することなく回転することになる。したがって、主ぜんまいは、損傷を与えられるおそれのある過度の巻上げから保護される。
【０００３】
パイプの最上端は例えば正方形状の凸状部分を有する。その凸状部分は、ばねの中に作られたやはり正方形の穴の中に内接し、ばねはパイプに固定される。ゆえに、回転運動がばねに与えられると、そのばねが凸状部分を介してパイプを回転駆動する。
【０００４】
使用に際して、前述の竜頭には問題がある。パイプが竜頭と完璧には軸方向に位置合わせされておらず、ゆえに、これらの２部品間に遊びが現れ、パイプに堅固に結合されたばねは、ノッチ付き剛性竜頭に対してもはや適切に心合わせされない。ノッチ付きリングが回転駆動されるときには、ばねは、それらの通常の弾性変形状態から、それらが不可逆的損傷を受ける塑性変形状態へと移行するおそれがある。その場合、ノッチ付きリングがばねを回転駆動する状態と、ユーザがもはや主ぜんまいを最適な方式で巻き上げることができないことを意味する、ノッチ付きリングがばねを駆動することなくばねの上で摺動する状態との間の移行を決定する、トルクしきい値の大きな降下が観察される。
【特許文献１】欧州特許出願第１５８６９６０号
【発明の開示】
【発明が解決しようとする課題】
【０００５】
本発明の目的は、ノッチ付き剛性リングとばね要素との間の解放を特徴付けるそのトルク値が長期間にわたって安定なままである、時計巻上げ竜頭用の新しいタイプの解放機構を提供することによって、前述の材料の抵抗の問題、摩擦に関する問題、その他の問題を克服することである。
【課題を解決するための手段】
【０００６】
したがって、本発明は、時計用の巻上げ竜頭であって、前記竜頭が、竜頭に固定された剛性駆動リングを含み、巻真が一端に固定されるパイプに固定された少なくとも１つの弾性変形可能な要素と協働する解放機構を含んでおり、前記弾性要素が変形して前記弾性要素と剛性リングとの駆動連結を外すしきい値を、前記弾性要素によって対抗される抵抗トルクが越えるまで、剛性リングが、弾性変形可能な要素を少なくとも１つの回転方向に駆動し、竜頭が、弾性変形可能な要素が該要素を剛性駆動リングに対して心合わせできる手段を含むことを特徴とする、竜頭に関する。
【０００７】
これらの特徴によって、本発明は、解放機構の弾性変形可能な要素が、その要素を竜頭に固定された剛性駆動リングに対して心合わせするそれ自体の手段を含む、時計竜頭を提供する。ゆえに、弾性変形可能な要素がそれに固定されるパイプと竜頭との間の軸方向での不整列は、駆動リングに対する前記変形可能要素の心合わせに対して影響を与えない。したがって、そのような不整列が観察される場合、変形可能要素は、該要素が剛性リングによって及ぼされる応力の影響を受けて弾性変形する状態にとどまり、要素が不可逆的に損傷を受けるおそれのある塑性変形域には入らない。ゆえに、本発明による解放機構の動作特徴は、長期間にわたって保たれる。具体的には、剛性リングが変形可能要素と噛み合った状態と、剛性リングが変形可能要素から解放された状態との間の移行を特徴付けるトルク値の大きな降下は、観察されない。
【０００８】
本発明の補足的な特徴によれば、弾性変形可能な要素は円形であり、心合わせ手段は前記弾性変形可能な要素の周囲上で少なくとも直径方向で向き合うように配置される。
【０００９】
この特徴によって、弾性変形可能な要素は、剛性駆動リングの中心に対して完璧に対称的に心合わせされる。
【００１０】
本発明の他の実施態様によれば、心合わせ手段は、弾性変形可能な要素の周囲上の一定間隔で配置された３つの場所に設けられる。
【００１１】
この変形態様によって、弾性変形可能な要素に及ぼされる作用力は、パイプが完璧には竜頭と軸方向に位置合わせされない場合、最適な方式で分散される。
【発明を実施するための最良の形態】
【００１２】
本発明の他の特徴及び利点は、本発明による竜頭の２つの実施形態についての以下の詳細な説明からより明らかになる。これらの実施形態は、純粋に、付属図面に関する非限定的な説明のために与えられている。
【００１３】
本発明は、主ぜんまいの過度の巻上げから時計のムーブメントを保護する解放機構を含む時計竜頭を提供する発明の一般概念から開始するが、前記解放機構は、弾性変形可能な要素を含んでおり、前記要素は、前記要素を剛性駆動リングに対して完璧に心合わせする手段を有する。ゆえに、弾性要素が固定されるパイプが、剛性駆動リングを支持する竜頭に対して完璧には軸方向に整列されない場合でも、弾性変形可能な要素は、剛性駆動リングに対して中心がずれず、ゆえに、弾性変形状態から不可逆的な塑性変形を起こす塑性変形状態へと移行しにくい。
【００１４】
本発明による解放機構の第１の例が、図１に関して示されている。全体的な参照数字１によって全体として示された、この解放機構は、弾性変形可能な要素２と、剛性駆動リング４とを含む。
【００１５】
弾性変形可能な要素２は、通常、概ね円形の形状の要素である。この要素は、その中心に例えば正方形状の穴８があけられた、やはりほぼ円形の基部６を含んでおり、その穴８を通して、基部６は、その一端に巻真（図示せず）が固定されるパイプ１２（図３参照）の穴８に相補的な形状の凸状部分１０に固定される。
【００１６】
本発明によれば、ばね要素２は、その要素を剛性駆動リング４に対して心合わせする手段を含む。図１に示された例では、これらの心合わせ手段は、基部６から径方向に延び、互いに一定の角度で離隔された３つのＹ字形アーム１４、１６、１８の形態をとる。
【００１７】
ばね要素２は、また、その要素を剛性駆動リング４に一時的に結合する手段を含む。図１に示される例では、これらの結合手段は、Ω字形の部分２０として示されている。これらの部分２０は、３つ存在しており、それぞれが連続した２つの心合わせアーム間に配置される。各結合部２０は、ばね要素２の内側に向かって開く面を形成する頭部２２と２つの脚部２４とを含む。
【００１８】
より具体的には、各結合アーム１４〜１８は、ばね要素２の基部６から径方向に延びるセクション１４ａ〜１８ａを含んでおり、該セクション１４ａ〜１８ａは、互いに離れて広がる対称的な２つの分岐１４ｂ〜１８ｂへと分かれる。各アーム１４〜１８の２つの分岐１４ｂ〜１８ｂは、円弧内の心合わせ部分１４ｃ〜１８ｃによって互いに接合されており、心合わせ部分は、それらの自由端のところで、心合わせアーム１４〜１８を一時的結合部２０の足部２４に連結する連結部分２６によって延ばされている。
【００１９】
剛性駆動リング４の内周部は、それぞれ第１の内径Ｄ１と第２の内径Ｄ２とされた途切れのない一連の隆起部２８と凹み部３０を有しており、内径Ｄ１は、内径Ｄ２よりも小さい。
【００２０】
図１を調べるとわかるように、アーム１４〜１８の円弧内の心合わせ部分１４ｃ〜１８ｃは、剛性駆動リング４の第１の内径Ｄ１に等しい直径に対応する、ばね要素２の第１の外半径Ｒ'１を形成する。さらに、心合わせ部分１４ｃ〜１８ｃの長さは、これらの部分１４ｃ〜１８ｃが常に駆動リング４の内周部上で２つの隆起部２８の上に載せられる長さであるので、駆動リング４の角度位置がどうであろうと、駆動リング４に対するこれらの心合わせ部分１４ｃ〜１８ｃの位置が変化することがないのは明らかである。ゆえに、駆動リング４の隆起部２８は、ばね要素２の転がり経路を構成し、心合わせ部分１４ｃ〜１８ｃがそれに沿って動く。したがって、ばね要素２は、そのばね要素２が固定されるパイプ１２の、剛性リング４が固定される竜頭３２に対する、軸方向のどのような位置合わせも、ばね要素２と剛性リング４との相対的な位置決めに対して影響を及ぼさないように、剛性駆動リング４の中心に対して完璧に位置決めされる。かくして、剛性リング４は、その剛性リング４がばね要素２を駆動する状態と、接合性を失ってばね要素２が剛性リング４の保持から逃るために、弾性変形させられる状態との間の移行を特徴付けるトルクしきい値の減少をまねく可能性のある、不可逆的な損傷を剛性リング４が受けるおそれのある塑性変形域に入りにくい。
【００２１】
ばね要素２は、結合部２０と隆起部２８との間の協働を通じて剛性リング４によって駆動される。結合部２０の頭部２２の頂点が、剛性リング４の第１の内径Ｄ１よりも大きな直径に対応する、ばね要素２の第２の外半径Ｒ'２を有することに留意すべきである。ゆえに、回転竜頭３２は剛性リング４を回転駆動する。剛性リング４は、次に、ばね要素２を回転駆動することになり、剛性リング４の隆起部２８が結合部２０の頭部２２に当接する。これは、ばね要素２が、結合部２０が弾性変形して抵抗トルクに対抗し、かつ結合部の頭部２２が隆起部２８を通るまで、正しい。その瞬間、剛性リング４は、もはやばね要素２をグリップせず、竜頭３２は、トルクを伝達することなく回転する。結合部２０は、前記ばね要素２の周辺の接線方向に沿ってだけでなく、ばね要素２が内接させられる半径に沿っていくらか圧縮状態で作用することで、その結合部２０の疲労を制限し、さらにそれらの耐摩耗性を高める、ことに注意すべきである。
【００２２】
本発明による解放機構の第２の実施形態が図２に示されている。該解放機構は、弾性変形可能な要素２００と、剛性駆動リング４００とを含む。
【００２３】
剛性駆動リング４００は、図１に関して記載した剛性リング４と同一の形状と構造を有する。剛性駆動リング４００は、それぞれ第１の内径Ｄ１と第２の内径Ｄ２を有する、途切れのない一連の隆起部２８０と凹み部３００とを含んでおり、内径Ｄ１は、内径Ｄ２よりも小さい。
【００２４】
弾性変形可能な要素２００は、ばねタイプであり、概ね円形の形状である。弾性変形可能な要素２００は、その中心に正方形の穴８００があけられた、やはりほぼ円形の基部６００を含んでおり、その穴を通して、要素は、一端に巻真（図示せず）が固定されるパイプ１２（図３参照）の正方形の輪郭の凸状部分１０に固定される。
【００２５】
ばね要素２００の基部６００は、直径方向で向き合った２つの湾曲した部分２１０、２２０まで延びており、それらの湾曲した部分は、円弧に類似した形状のアーム２３０、２４０に続く。図２を調べるとわかるように、アーム２３０、２４０は、いずれも反時計回りに延びている。もちろん、アーム２３０、２４０が同一の時計回り方向に延びることは完全に可能である。
【００２６】
より具体的には、２つのアーム２３０、２４０それぞれが、心合わせ部分２３０ａ、２４０ａと、結合部分２３０ｂ、２４０ｂとを含む。心合わせ部分２３０ａ、２４０ａは、円弧の形状を有し、剛性駆動リング４００の第１の内径Ｄ１に等しいばね要素２００の第１の外径Ｄ'１を有する。心合わせ部分２３０ａ、２４０ａの長さは、ばね要素２００に対する前記リング４００の相対位置がどうであろうと、これらの心合わせ部分２３０ａ、２４０ａが常に剛性駆動リング４００の内周部の連続した２つの隆起部２８０上に載る長さである。ゆえに、これらの心合わせ部分２３０ａ、２４０ａは、どのような状況であろうと、ばね要素２００が常に剛性駆動リング４００に対して心合わせされることを保証する。
【００２７】
心合わせ部分２３０ａ、２４０ａを過ぎると、アーム２３０、２４０の結合部分２３０ｂ、２４０ｂは、次第にばね要素２００の中心に近くなり、前記結合部分の自由端は、突出部分２３０ｃ、２４０ｃを有しており、突出部分の最高点は、剛性リング４００の第１の内径Ｄ１よりも大きい、ばね要素２００の第２の外径Ｄ'２を定める。ゆえに、剛性リング４００が回転駆動されるときには、剛性リングは、次には、隆起部２８０を介してばね要素２００のアーム２３０、２４０の結合部分２３０ｂ、２４０ｂの突出部分２３０ｃ、２４０ｃに当接することによって、ばね要素２００を駆動する。これは、ばね要素２００が抵抗トルクに抗して、アーム２３０、２４０が弾性変形し、それらの突出部分２３０ｃ、２４０ｃが剛性リング４００の隆起部２８０の下を通るまで、正しい。その瞬間、剛性リング４００は、もはやばね要素２００をグリップせず、竜頭３２は、トルクを伝達することなく回転する。
【００２８】
巻上げ竜頭３２に組み込まれた本発明による解放機構の一例が、図３に示されている。竜頭３２は、中空の内側ハウジング内に円形肩部３４を有している。この肩部は、一方では、竜頭３２の内に作られた開孔４２内へ、封止ガスケット４０の挿入によって取り付けられたカバー３８のための当接面３６の境界となり、他方では、剛性駆動リング４、４００と、１つ、好ましくは２つの、上下に取り付けられたばね要素２、２００とに対する停止面４４の境界となる。
【００２９】
パイプ１２は、巻真（図示せず）を取り付けるねじ穴４８が中に作られた、円筒形状の主要部４６を有する。直径が主要部４６の直径よりも大きい、円盤形の頭部５０が、パイプ１２の主要部４６上に取り付けられている。２つのばね要素２、２００が位置決めされる凸状部分１０が、頭部の上に取り付けられている。
【００３０】
２つのばね要素２、２００は、一部はパイプ１２の頭部５０上に支持され、一部は、押込み、溶接、結合、又は他の手段などのいずれか適切な手段によって竜頭３２の内部容積内に取り付けられたブッシュ５２上に支持される。
【００３１】
竜頭３２は、その解放機構とともに、例えば押し込まれることによって時計の中央部に固定されたチューブ５４を介してその中央部内に取り付けられる。
【００３２】
ブッシュは、一方では竜頭３２とブッシュ５２との間に、他方ではブッシュ５２とチューブ５４との間に封止をもたらす２つの封止ガスケット６０、６２を収容する２つの円形溝５６、５８を有する。
【００３３】
最後に、ばね２、２００がねじの頭部６６とパイプ１２の頭部５０との間で保持されるように、ねじ６４が凸状部分１０に螺入される。
【００３４】
剛性駆動リング４、４００は、竜頭３２に固定され、ばね要素２、２００は、パイプ１２に固定される。
【００３５】
本発明がここまで記載してきた諸実施形態だけに限定されず、また、冒頭の特許請求の範囲によって定義される本発明の範囲から逸脱することなく様々な単純な変更及び変形形態を当業者が想定できることは、言うまでもない。具体的には、ばね要素がそれに内接する円の接線に平行な方向に沿って変形する結合ばねを含む前記ばね要素を想定することが、完全に可能である。
【図面の簡単な説明】
【００３６】
【図１】本発明による弾性変形可能な要素の第１の実施形態の平面図である。
【図２】本発明による弾性変形可能な要素の第２の実施形態の平面図である。
【図３】本発明による解放機構がその中に配置された竜頭の長手方向断面図である。
【符号の説明】
【００３７】
１  解放機構、２  弾性変形可能な要素、ばね要素、４  剛性駆動リング、６  基部、８  穴、１０  凸状部分、１２  パイプ、１４、１６、１８  Ｙ字形アーム、結合アーム、心合わせアーム、１４ａ、１６ａ、１８ａ  セクション、１４ｂ、１６ｂ、１８ｂ  分岐、１４ｃ、１６ｃ、１８ｃ  心合わせ部分、２０  結合部、２２  頭部、２４  脚部、２６  連結部分、２８  隆起部、３０  凹み部、３２  竜頭、３４  円形肩部、３６  当接面、３８  カバー、４０  封止ガスケット、４２  開孔、４４  停止面、４６  主要部、４８  ねじ穴、５０  頭部、５２  ブッシュ、５４  チューブ、５６、５８  円形溝、６０、６２  封止ガスケット、６４  ねじ、６６  ねじの頭部、２００  弾性変形可能な要素、ばね要素、２１０、２２０  湾曲部分、２３０、２４０  アーム、２３０ａ、２４０ａ  心合わせ部分、２３０ｂ、２４０ｂ  結合部分、２３０ｃ、２４０ｃ  突出部分、２８０  隆起部、３００  凹み部、４００  剛性駆動リング、６００  基部、８００  穴
【図１】
0005363784.tif 000002
【図２】
0005363784.tif 000003
【図３】
0005363784.tif 000004